(57)【要約】【課題】臭気や生活害虫等がシンクを経て室内に侵入することを防止するようにしたシンク構造を提供する。【解決手段】シンク２の排水口３を塞ぐことのできる蓋１０と、シンク２からオーバフローする水が流通するオーバフロー管７の入口部に設けた溢水口６に蓋１２を設ける。【選択図】図１
2007231660.tif 000002
【特許請求の範囲】
【請求項１】
シンクの底面に排水口を有すると共にシンクからオーバフローした水が流下するオーバフロー管を備えたシンク構造であって、前記排水口を塞ぐ蓋と、前記シンクからオーバフローした水が流通するオーバフロー管の入口部を塞ぐ蓋を備えたことを特徴とするシンク構造。
【請求項２】
シンクの底面に排水口を有すると共にシンクからオーバフローした水が流下するオーバフロー管を備えたシンク構造であって、前記排水口を塞ぐ蓋と、前記シンクからオーバフローした水が流通するオーバフロー管の入口部にシンクの上方側から開閉操作し得るようにした開閉弁を備えたことを特徴とするシンク構造。
【請求項３】
シンクの底面に排水口を有すると共にシンクからオーバフローした水が流下するオーバフロー管を備えたシンク構造であって、前記排水口を塞ぐ蓋と、前記シンクからオーバフローする水が流通するオーバフロー管の縦管部にシンクから水がオーバフローしない場合は重錘の重量により回動して閉止し、シンクから水がオーバフローした場合には水の力により重錘の重量により回動する方向とは反対方向へ回動して開くようにした羽根を有する逆止弁を備えたことを特徴とするシンク構造。
【請求項４】
排水口の下部には防臭排水トラップが設けられている請求項１乃至３の何れかに記載のシンク構造。
【発明の詳細な説明】
【技術分野】
【０００１】
本発明はシンク構造に関する。
【背景技術】
【０００２】
従来のシンク構造の一例は図８に示されており、図中、１は枠体、２は枠体１に設置された矩形深絞り容器状のシンク、３はシンク２の底面２ａに設けられた排水口、４は排水口３の下方に位置するようシンク２の下面に設置されてシンク２へ臭気が漏洩するのを防止するための水封式の防臭排水トラップである。防臭排水トラップ４は、シンク２の底面２ａ下面に固設された有底の筒状容器４ａと、筒状容器４ａ内に収納されて固設された筒状で天井を有する防臭キャップ４ｂと、上端が防臭キャップ４ｂ内に位置すると共に筒状容器４ａの底面を貫通して下方へ延在する排水管４ｃとを備えており、排水管４ｃの下端には排水管５が接続されている。
【０００３】
シンク２の前壁面２ｂに形成した溢水口６には、オーバフロー管７の一端が接続されており、オーバフロー管７の他端は防臭排水トラップ４の筒状容器４ａ側面に、防臭キャップ４ｂに向け開口するよう、接続されている。オーバフロー管７は、溢水口６から水平に突出する短い略水平状の管部と、該管部から下方に延在する縦管部と、該縦管部の下端から略水平に延在して筒状容器４ａに接続される管部とを有し、該管部には、ハンドル８ａを下方から操作するようにした開閉弁８が装着されている。
【０００４】
シンク２の前壁側上面には、ボールチェーン９が固定されており、ボールチェーン９には、シンク２の底面２ａに形成した排水口３を塞ぐためのゴム製の蓋１０が接続されている。図中、１１は給水栓或は給湯栓である。
【０００５】
例えば、生産器具等の洗浄対象機器を洗浄する場合は、開閉弁８は開いておき、蓋１０により排水口３を塞ぎ、給水栓或は給湯栓１１から給水或は給湯を行なってシンク２内に湯水を溜め、洗浄対象機器を洗浄する。なお、洗浄対象機器は蓋１０を開いた状態で洗浄することもできる。
【０００６】
シンク２内の湯水が溢水口６の下端縁部以上になると、湯水は溢水口６からオーバフロー管７を通って防臭排水トラップ４の筒状容器４ａ内に流入し、防臭キャップ４ｂの下端から防臭キャップ４ｂと排水管４ｃとの間の空間に流入し、排水管４ｃの上端から排水管４ｃへ流入し、排水管４ｃ，５を流下して排水される。
【０００７】
洗浄作業が終了したらボールチェーン９を介して蓋１０を排水口３から外す。このため、シンク２内の湯水は排水口３から防臭排水トラップ４内へ流入し、防臭キャップ４ｂの下端から防臭キャップ４ｂと排水管４ｃとの間の空間に流入し、排水管４ｃの上端から排水管４ｃへ流入し、排水管４ｃ，５を流下して排水され、防臭排水トラップ４における筒状容器４ａ内の水のレベルは排水管４ｃの上端位置となる。
【０００８】
排水管５，４ｃを経て防臭排水トラップ４内に臭気が侵入した場合、臭気は防臭キャップ４ｂ内の空間に溜まるが、筒状容器４ａ内には排水管４ｃの上端位置まで水が溜まっているため、防臭キャップ４ｂ内の空間に溜まった臭気は筒状容器４ａ内に溜まった水により閉塞され、従って、臭気が排水口３からシンク２側へ侵入することを防止される。
【０００９】
又、洗浄対象機器の洗浄作業が終了してシンク２から湯水が排水されたら、シンク２を洗浄した後シンク２の排水口３を再び蓋１０により塞ぎ、ハンドル８ａを操作して開閉弁８を閉止する。このため、臭気は例え防臭排水トラップ４内の水が防臭キャップ４ｂの下端よりも低いレベルになっても、排水管５から防臭排水トラップ４やオーバフロー管７を経てシンク２から室内に侵入することを防止され、又ゴキブリ等の生活害虫も外部から防臭排水トラップ４やオーバフロー管７を経てシンク２から室内に侵入することを防止される。
【００１０】
シンクに関連した先行技術文献としては、特許文献１がある。この特許文献１は、排水時にエアー引き込み音を発生させないオーバーフロー用排水口を提供するもので、オーバーフロー用排水口の上部に開閉自在に垂設される弁を具備し、弁を比重１以下の材質で構成した蓋によりオーバーフロー用排水口からエアーの引き込みを防止するものである。
【特許文献１】特開平８−１８４０８４号公報
【発明の開示】
【発明が解決しようとする課題】
【００１１】
図８に示すシンク構造の場合、開閉弁８はシンク２の下方に配置されているため、開閉操作がやり難くて操作性が悪く、又、開閉弁８を閉止してある場合でも、開閉弁８から溢水口６の間においてオーバフロー管７内において繁殖した雑菌は、シンク２内に、延いては室内に侵入する虞がある。
【００１２】
又、特許文献１のものは排水時のエアー引込み音を防止するためのもので、臭気や生活害虫を防止するためのものではない。
【００１３】
本発明は、上記実情に鑑み、臭気や生活害虫等がシンクから室内に侵入することを容易且つ確実に防止するようにしたシンク構造を提供することを目的としてなしたものである。
【課題を解決するための手段】
【００１４】
本発明の請求項１のシンク構造は、シンクの底面に排水口を有すると共にシンクからオーバフローした水が流下するオーバフロー管を備えたシンク構造であって、前記排水口を塞ぐ蓋と、前記シンクからオーバフローする水が流通するオーバフロー管の入口部を塞ぐ蓋を備えたものである。
【００１５】
本発明の請求項２のシンク構造は、シンクの底面に排水口を有すると共にシンクからオーバフローした水が流下するオーバフロー管を備えたシンク構造であって、前記排水口を塞ぐ蓋と、前記シンクからオーバフローする水が流通するオーバフロー管の入口部にシンクの上方側から開閉操作し得るようにした開閉弁を備えたものである。
【００１６】
本発明の請求項３のシンク構造は、シンクの底面に排水口を有すると共にシンクからオーバフローした水が流下するオーバフロー管を備えたシンク構造であって、前記排水口を塞ぐ蓋と、前記シンクからオーバフローする水が流通するオーバフロー管の縦管部にシンクから水がオーバフローしない場合は重錘の重量により回動して閉止し、シンクから水がオーバフローした場合には水の力により重錘の重量により回動する方向とは反対方向へ回動して開くようにした羽根を有する逆止弁を備えたものである。
【００１７】
本発明の請求項４のシンク構造においては、排水口の下部には防臭排水トラップが設けられている。
【発明の効果】
【００１８】
本発明の請求項１〜４に記載のシンク構造によれば、防臭排水トラップと室内の縁切りはもとより、オーバフロー管と室内の縁切りをも容易且つ確実に行なうことができるため、臭気や生活害虫等がシンクから室内に侵入することを容易且つ確実に防止することができ、又、オーバフロー管が閉塞されていることの確認作業をも容易且つ確実に行なうことができる。このため、本発明のシンク構造ではその信頼性が向上する。
【発明を実施するための最良の形態】
【００１９】
以下、本発明の実施の形態を添付図面を参照して説明する。
図１〜図３は本発明のシンク構造を実施する形態の第一例である。図中、図８と同一の符号を付した部分は同一のものを表しており、基本的な構成は図に示す従来のものと同様である。
而して、本図示例の特徴とするところは、シンク２の前壁面２ｂに設けた丸孔状の溢水口６を塞ぐために、ゴム製の丸い蓋１２を設けた点である。蓋１２はボールチェーン１３の一端に連結されており、ボールチェーン１３の他端はシンク２の前壁側上面に固設されている。
【００２０】
ボールチェーン１３のシンク２前壁側上面に固設した状態は図２、図３に示されており、図中、１４はシンク２前壁側上面に取付けたブラケット、１５はボールチェーン１３をブラケット１４に連結するための継手金具である。なお、ボールチェーン９もボールチェーン１３と同様にしてシンク２の前壁側上面に固設されている。
【００２１】
次に、上記した実施の形態の作動を説明する。
本図示例において、洗浄対象機器を洗浄する場合は、例えば、排水口３は蓋１０により塞ぎ、溢水口６は蓋１２により塞がず開けておき、給水栓或は給湯栓１１によりシンク２に水或は湯を溜める等し、洗浄作業を行なう。シンク２内の湯水のレベルが溢水口６の下縁部よりも上昇すると、シンク２内の湯水は、オーバフロー管７、防臭排水トラップ４を通り、排水管５から外部へ排水される。
【００２２】
而して、洗浄作業が終了した場合には、蓋１０を外す。このため、シンク２内の水は排水口３から防臭排水トラップ４の筒状容器４ａ及び排水管４ｃを経て排水管５へ流入し、排水管５から外部へ排水される。而して、シンク２内の湯水が排水されたらシンク２の洗浄を行い、次いで排水口３を蓋１０により塞ぐと共に、溢水口６を蓋１２により塞ぐ。
【００２３】
本図示例では、洗浄作業を行なわない場合は、排水口３を蓋１０により塞ぐと共に、溢水口６を蓋１２により塞いでいるため、臭気はもとより、生活害虫や雑菌等が、排水管５から防臭排水トラップ４を経てシンク２から室内に侵入したり、排水管５から防臭排水トラップ４及びオーバフロー管７を経てシンク２から室内に侵入することを防止することができる。又、溢水口６を蓋１２により塞ぐようにしているため、図８に示すようにオーバフロー管７に開閉弁８を設けた場合と比較して、取扱いが容易となり、シンク構造の信頼性が向上する。
【００２４】
図４、図５は本発明のシンク構造を実施する形態の第二例である。而して、本図示例においては、オーバフロー管７上部の水平部の溢水口６近傍位置に、ハンドル８ａがシンク２の前壁面２ｂ側上部平面に突出するよう、開閉弁８が設けられている。図中、図１に示す符号と同一の符号のものは同一のものを示す。
【００２５】
斯かる構成とした場合は、洗浄対象機器の洗浄時には、排水口３は蓋１０により塞ぎ、開閉弁８は開き、給水栓或は給湯栓１１により水或は湯をシンク２に溜め、洗浄作業を行なう。
【００２６】
而して、洗浄作業が終了した場合には、蓋１０を外す。このため、シンク２内の水は排水口３から防臭排水トラップ４の筒状容器４ａ及び排水管４ｃを経て排水管５へ流入し、排水管５から外部へ排水される。而して、シンク２内の湯水が排水されたらシンク２の洗浄を行い、次いで排水口３を蓋１０により塞ぐと共に、ハンドル８ａを操作して、溢水口６の近傍においてオーバフロー管７に設けた開閉弁８を閉止する。
【００２７】
本図示例では、洗浄作業を行なわない場合は、排水口３を蓋１０により塞ぐと共に、溢水口６の近傍においてオーバフロー管７に設けた開閉弁８を閉止しているため、臭気はもとより、生活害虫や雑菌等が、排水管５から防臭排水トラップ４を経てシンク２から室内に侵入したり、排水管５から防臭排水トラップ４及びオーバフロー管７を経てシンク２から室内に侵入することを防止することができる。
【００２８】
又、開閉弁８は、ハンドル８ａをシンク２上部から操作できるため、図８に示すようにオーバフロー管７下部に開閉弁８を設けてハンドル８ａをシンク２の下部から操作する場合と比較して、開閉弁８の取扱いが容易となり、シンク構造の信頼性が向上する。
【００２９】
図６、図７は本発明のシンク構造を実施する形態の第三例である。而して、本図示例においては、オーバフロー管７の垂直部の上部側位置に、逆止弁１６が設けられている。図中、図１に示す符号と同一の符号のものは同一のものを示す。
【００３０】
逆止弁１６は図７に示すように、ケーシング１７と、ケーシング１７内に水平軸１８に対し回動し得るよう収納した円板状の羽根１９とを備えている。又、ケーシング１７の内周面には、断面形状が略三角形状の環状のストッパ１７ａ，１７ｂが形成されている。ストッパ１７ａはストッパ１７ｂよりも上方に位置するよう高さを替えて設けられており、羽根１９のストッパ１７ａ側端部には重錘部１９ａが形成されている。
【００３１】
而して、シンク２内の湯水が溢水口６からオーバフロー管７に流入しない場合は、羽根１９は重錘部１９ａ側が図７において時計方向へ回動して羽根１９の上端下面はストッパ１７ａの上面に当接し、又、羽根１９の下端上面はストッパ１７ｂの下面に当接し、その結果、オーバフロー管７は塞がれた状態となっている。
【００３２】
又、シンク２内の湯水が溢水口６からオーバフロー管７に流入した場合は、湯水の重量により羽根１９は図７の反時計方向へ回動して羽根１９の上端はストッパ１７ａから離反し、羽根１９の下端はストッパ１７ｂから離反し、その結果、羽根１９は開いて湯水はオーバフロー管７を流下し得るようになっている。
【００３３】
洗浄対象機器の洗浄時には、排水口３は蓋１０により塞ぎ、給水栓或は給湯栓１１により水或は湯をシンク２に溜め、洗浄作業を行なう。この場合、オーバフロー管７の中途部は、逆止弁１６の羽根１９により上下を遮断されている（図７参照）。
【００３４】
洗浄作業中に、シンク２内の湯水のレベルが溢水口６の下縁部よりも高くなると、湯水は溢水口６からオーバフロー管７に流入し、その流下力により逆止弁１６の羽根１９は図７に示す状態から反時計方向へ回動して開くため、湯水はオーバフロー管７から防臭排水トラップ４の筒状容器４ａ及び排水管４ｃを経て排水管５へ流入し、排水管５から外部へ排水される。
【００３５】
而して、洗浄作業が終了した場合には、蓋１０を外す。このため、シンク２内の水は排水口３から防臭排水トラップ４の筒状容器４ａ及び排水管４ｃを経て排水管５へ流入し、排水管５から外部へ排水される。而して、シンク２内の湯水が排水されたらシンク２の洗浄を行い、次いで排水口３を蓋１０により塞ぐ。又、シンク２内から湯水がオーバフロー管７に流入しない状態になれば、逆止弁１６の羽根１９は重錘部１９ａの重量により回動して図７に示すように閉止する。
【００３６】
本図示例では、洗浄作業を行なわない場合は、排水口３を蓋１０により塞ぐと共に、溢水口６の近傍においてオーバフロー管７に設けた逆止弁１６が閉止しているため、臭気はもとより、生活害虫や雑菌等が、排水管５から防臭排水トラップ４を経てシンク２から室内に侵入したり、排水管５から防臭排水トラップ４及びオーバフロー管７を経てシンク２から室内に侵入することを防止することができる。
【００３７】
又、逆止弁１６はオーバフロー管７に湯水が流下しなければ羽根１９が自動的に閉止するため、人手による弁の開閉操作が不必要で、その結果、取扱いが容易となってシンク構造の信頼性が向上する。
【００３８】
なお、本発明のシンク構造は、上記した実施の形態に限定されるものではなく、本発明の要旨を逸脱しない範囲内において種々変更を加え得ることは勿論であり、又、請求項１〜３の「水」には水だけではなく、湯水或は湯のみをも含んでいる。
【図面の簡単な説明】
【００３９】
【図１】本発明のシンク構造の実施の形態の第一例の縦断面図である。
【図２】図１の溢水口を塞ぐ蓋に連結されるボールチェーンがシンク前壁側上面に固定される状態を示す拡大側面図である。
【図３】図２の平面図である。
【図４】本発明のシンク構造の実施の形態の第二例の縦断面図である。
【図５】給水栓或は給湯栓よりも下の位置から見た図４の平面図である。
【図６】本発明のシンク構造の実施の形態の第三例の縦断面図である。
【図７】図６のシンク構造に適用する逆止弁の縦断面図である。
【図８】従来のシンク構造の例の縦断面図である。
【符号の説明】
【００４０】
２  シンク
２ａ        底面
３  排水口
４  防臭排水トラップ
６  溢水口（オーバフロー管の入口部）
７  オーバフロー管
８  開閉弁
１０  蓋
１２  蓋
１６  逆止弁
１９  羽根
１９ａ        重錘部（重錘）
【図１】
2007231660.tif 000003
【図２】
2007231660.tif 000004
【図３】
2007231660.tif 000005
【図４】
2007231660.tif 000006
【図５】
2007231660.tif 000007
【図６】
2007231660.tif 000008
【図７】
2007231660.tif 000009
【図８】
2007231660.tif 000010